(57)【要約】    【課題】ガラス扉の前側から見た場合の見栄えの低下を防止できるようにする。    【解決手段】遊技盤５の前側に、この遊技盤５の遊技領域１４に対応する透視窓２７を取り囲むガラス扉枠２８と、このガラス扉枠２８に装着され且つ透視窓２７を塞ぐガラス板３６，３７とを有するガラス扉６を備え、このガラス扉６に、遊技盤５のガイドレール１５を経て遊技領域１４に打ち込まれる遊技球を検出するセンサ３０を備える。センサ３０はガラス板３６，３７の裏側で透視窓２７内に突出して配置し、このセンサ３０の取り付け部材４５はガイドレール１５に沿って形成された内周縁３５よりも外側でガラス扉枠２８の裏側に配置する。【選択図】図３
2013017583.tif 000002
【特許請求の範囲】
【請求項１】
遊技盤の前側に、該遊技盤の遊技領域に対応する透視窓を取り囲む装飾扉枠と、該装飾扉枠に装着され且つ前記透視窓を塞ぐ透明板とを有する装飾扉を備え、該装飾扉に、前記遊技盤のガイドレールを経て前記遊技領域に打ち込まれる遊技球を検出するセンサを備えた弾球遊技機において、前記センサを前記透明板の裏側で前記透視窓内に突出して配置し、該センサの取り付け部材を前記ガイドレールに沿って形成された内周縁よりも外側で前記装飾扉枠の裏側に配置したことを特徴とする弾球遊技機。
【請求項２】
前記装飾扉は前後複数枚の前記透明板を有し、該複数枚の透明板間に前記センサを配置したことを特徴とする請求項１に記載の弾球遊技機。
【請求項３】
前記装飾扉は前後二枚の前記透明板と、該二枚の透明板間の外周部に配置され且つ該透明板を外周側から保持する保持部材とを有する密封状の透明板ユニットを備え、前記透明板ユニット内に前記センサを配置したことを特徴とする請求項２に記載の弾球遊技機。
【請求項４】
前記保持部材の内周に前記センサの取り付け部材を固定し、該取り付け部材の端子を前記保持部材に内外方向に挿通したことを特徴とする請求項３に記載の弾球遊技機。
【請求項５】
前記保持部材は前記端子の通孔を有し、該通孔はシール材で密封したことを特徴とする請求項４に記載の弾球遊技機。
【請求項６】
発射手段と前記遊技盤との間に遊技球の循環経路を構成し、該循環経路内に封入された遊技球を前記発射手段と前記遊技盤との間で循環させながらゲームを行う封入式であることを特徴とする請求項１〜５の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
例えば発射手段と遊技盤との間に遊技球の循環経路を形成し、その循環経路内に所定数の遊技球を封入して発射手段と遊技盤との間で遊技球を循環させながらゲームを行うようにした封入式の弾球遊技機では、発射手段による遊技球の発射数を正確に把握するために、遊技盤のガイドレールの終端近傍等に遊技球を検出するセンサを配置し、このセンサで、遊技領域に打ち込まれた遊技球を検出することが考えられている。
【０００３】
一方、弾球遊技機には、遊技盤の前側に配置されたガラス扉の前後二枚のガラス板間に非接触式のセンサを配置し、このセンサにより、遊技盤の遊技領域の特定箇所を通過する遊技球を非接触で検出するようにしたものがある（特許文献１）。このセンサは遊技領域内で遊技盤に設けられた特定の遊技釘間に対応して二枚のガラス板間に配置されており、このセンサからの信号を光学繊維を介して外部に取り出すようになっている。
【先行技術文献】
【特許文献】
【０００４】
【特許文献１】特開２００５−９５２９９号公報
【発明の概要】
【発明が解決しようとする課題】
【０００５】
封入式の弾球遊技機において、遊技領域に打ち込まれた遊技球をセンサで検出して計数する場合、内レールと外レールとにより構成されるガイドレールの内、その内レールの終端近傍にセンサを配置することが望ましい。
【０００６】
この場合、特許文献１に記載のように、遊技領域内で内レールの終端近傍にセンサを配置すれば、センサが外周のガラス扉枠から離れて透視窓内に位置するため、センサの他に、センサを二枚のガラス板間に取り付ける取り付け部材、更にはセンサに接続された光学繊維等の多くのものが露出することとなり、ガラス扉の前面側の見栄えが極端に低下する欠点がある。
【０００７】
そこで、センサを遊技領域の外周の近傍に対応して配置し、そのセンサ及び取り付け部材を前側から覆う覆い部をガラス扉枠に設けて、センサ及び取り付け部材が遊技者から見えないようにすることが考えられる。しかし、この場合には、センサの取り付け部材等が遊技者の眼に直接触れることはないものの、ガラス扉枠の内周縁の一部に、取り付け部材等に対応して遊技領域の内側へと突出するカバー部ができるため、ガラス扉枠の内周縁の意匠性が悪くなる等、依然としてガラス扉の前面側の見栄えが低下する欠点がある。
【０００８】
本発明は、このような従来の問題点に鑑み、ガラス扉の前側から見た場合の見栄えの低下を防止できる弾球遊技機を提供することを目的とする。
【課題を解決するための手段】
【０００９】
本発明は、遊技盤の前側に、該遊技盤の遊技領域に対応する透視窓を取り囲む装飾扉枠と、該装飾扉枠に装着され且つ前記透視窓を塞ぐ透明板とを有する装飾扉を備え、該装飾扉に、前記遊技盤のガイドレールを経て前記遊技領域に打ち込まれる遊技球を検出するセンサを備えた弾球遊技機において、前記センサを前記透明板の裏側で前記透視窓内に突出して配置し、該センサの取り付け部材を前記ガイドレールに沿って形成された内周縁よりも外側で前記装飾扉枠の裏側に配置したものである。
【００１０】
前記装飾扉は前後複数枚の前記透明板を有し、該複数枚の透明板間に前記センサを配置しても良い。前記装飾扉は前後二枚の前記透明板と、該二枚の透明板間の外周部に配置され且つ該透明板を外周側から保持する保持部材とを有する密封状の透明板ユニットを備え、前記透明板ユニット内に前記センサを配置しても良い。
【００１１】
前記保持部材の内周に前記センサの取り付け部材を固定し、該取り付け部材の端子を前記保持部材に内外方向に挿通しても良い。前記保持部材は前記端子の通孔を有し、該通孔はシール材で密封しても良い。発射手段と前記遊技盤との間に遊技球の循環経路を構成し、該循環経路内に封入された遊技球を前記発射手段と前記遊技盤との間で循環させながらゲームを行う封入式であっても良い。
【発明の効果】
【００１２】
本発明によれば、センサを透明板の裏側に透視窓内に突出して配置し、該センサの取り付け部材をガイドレールに沿って形成された内周縁よりも外側で装飾扉枠の裏側に配置しているので、装飾扉の前側から見た場合の見栄えの低下を防止できる
【図面の簡単な説明】
【００１３】
【図１】本発明の第１の実施形態を示すパチンコ機の正面図である。
【図２】同パチンコ機の上部側の側面断面図である。
【図３】同要部の側面断面図である。
【図４】同要部の正面断面図である。
【図５】同センサの斜視図である。
【図６】同ガラス板ユニットの正面図である。
【図７】本発明の第２の実施形態を示す要部の側面断面図である。
【図８】本発明の第３の実施形態を示す要部の側面断面図である。
【発明を実施するための形態】
【００１４】
以下、本発明の各実施形態を図面に基づいて詳述する。図１〜図６は本発明を封入式のパチンコ機に採用した第１の実施形態を例示する。図１において、１は遊技機本体で、矩形枠状の外枠２と、この外枠２の前側に配置された前枠３とを備えている。前枠３はその左右方向の一側で上下一対のヒンジ４を介して外枠２に着脱及び開閉自在に装着されている。
【００１５】
前枠３の上部側には遊技盤５と、この遊技盤５の前側にガラス扉（装飾扉）６とが配置され、ガラス扉６の下側に隣接して前面板７が夫々配置されている。遊技盤５は前枠３の遊技盤装着部３ａに前側から嵌め込まれ、固定具（図示省略）により着脱自在に固定されている。ガラス扉６、前面板７はヒンジ４と同一側のヒンジ８により前枠３に開閉自在に枢支されている。前面板７の裏側には遊技盤５側へと遊技球を発射する発射手段９が設けられている。発射手段９は発射レール１０、打撃槌１１等を有し、循環経路中の貯留部から発射レール１０上へと供給された遊技球を打撃槌１１が打撃して、遊技盤５側へと遊技球を１個ずつ発射するようになっている。前枠３の下部には発射手段９用の発射ハンドル１２が設けられている。
【００１６】
遊技盤５には、発射手段９によって発射された遊技球を遊技領域１４へと案内するガイドレール１５が前面に環状に装着されると共に、その外周側に合成樹脂製の飾り部材１６が装着されており、ガイドレール１５及びこれと反対側の飾り部材１６により取り囲まれた内側が遊技領域１４となっている。そして、遊技盤５には、その遊技領域１４の上部側に特別図柄、演出画像等を表示する液晶表示手段１８が装着され、また液晶表示手段１８の下側に特別図柄始動手段１９、大入賞手段２０、普通入賞手段２１、その他の遊技部品が配置されている。ガイドレール１５は外レール１５ａと内レール１５ｂとにより構成されている。遊技領域１４の最下部にはアウト口２２が設けられている。
【００１７】
なお、発射手段９と遊技盤５との間には、所定数の遊技球が循環する循環経路が形成されており、発射手段９により発射された遊技球はガイドレール１５を経て遊技領域１４へと打ち込まれ、また遊技領域１４に打ち込まれた遊技球は遊技盤５の裏側へと誘導された後、発射手段９に遊技球を供給する貯留部へと案内され、発射手段９と遊技盤５との間で遊技球を循環させながらゲームを行うようになっている。
【００１８】
ガイドレール１５の外レール１５ａと内レール１５ｂとの下端部間は、発射手段９から発射された遊技球がガイドレール１５へと入る入口部２３となっており、この入口部２３から上側の外レール１５ａと内レール１５ｂとの間が遊技球の案内通路２４となっている。内レール１５ｂの上端側は、案内通路２４からの遊技球が遊技領域１４へと出る出口部２５となっており、また内レール１５ｂの上端には、案通通路２４内への遊技球の戻りを防止する可動式の戻り球防止手段２６が設けられている。
【００１９】
ガラス扉（装飾扉）６は、図２〜図４に示すように、遊技領域１４に対応する透視窓２７を有するガラス扉枠（装飾扉枠）２８と、このガラス扉枠２８の裏側に着脱自在に装着され且つ透視窓２７を塞ぐガラス板ユニット（透明板ユニット）２９とを備え、そのガラス板ユニット２９内に、遊技領域１４へと打ち込まれる遊技球を検出するセンサ３０が案内通路２４の出口部２５近傍に対応して組み込まれている。
【００２０】
ガラス扉枠２８は透視窓２７を取り囲む枠板３２と、この枠板３２の裏側に装着された金属製の補強板３３と、枠板３２の前側に装着された化粧カバー３４とを有し、その内周縁３５は遊技領域１４の外周のガイドレール１５、飾り部材１６等に略沿っており、緩やかな湾曲状に変化する形状になっている。
【００２１】
ガラス板ユニット２９は密封状であって、図３、図４、図６に示すように、所定の間隔を置いて前後に配置された二枚のガラス板（ガラス板）３６，３７と、このガラス板３６，３７を外周側で保持する保持部材３８とを備え、適宜固定手段によりガラス扉枠２８の裏側に着脱自在に固定されている。
【００２２】
保持部材３８は合成樹脂製であって、二枚のガラス板３６，３７間を所定の間隔に保つ間隔保持部４０と、この間隔保持部４０の前後両端から外周側に屈曲して一対のガラス板３６，３７を受ける受け部４１，４２と、各受け部４１，４２の外周から前後方向の反対側に突出し且つ各ガラス板３６，３７を外周側から覆う周壁部４３，４４とを備え、各ガラス板３６，３７は受け部４１，４２に接着等により固定されている。
【００２３】
センサ３０は案内通路２４を通過する遊技球を非接触で検出するもので、図２〜図５に示すように、案内通路２４の出口部２５の近傍でガラス板ユニット２９の前後のガラス板３６，３７間に配置され、保持部材３８の内周側に設けられた取り付け部材４５に着脱自在に装着されている。センサ３０は矩形状等の本体部４６と、この本体部４６の長手方向の一端から突出する偏平な取り付け部４７とを有し、その取り付け部４７に信号用の導体４８が設けられている。
【００２４】
取り付け部材４５は、図２〜図４に示すように、センサ３０の取り付け部４７が挿入される挿入孔４９と、この挿入孔４９に対応して設けられた端子５０とを有し、取り付け部４７を挿入孔４９に挿入したときに本体部４６を支持すると共に、取り付け部４７の導体４８が端子５０に接触して電気的に接続するようになっている。
【００２５】
この取り付け部材４５はガラス扉枠２８の内周縁３５よりも外側でガラス扉枠２８の裏側に配置されており、本体部４６、取り付け部４７を含むセンサ３０の内、その本体部４６がガラス扉枠２８の内周縁３５よりも内側に突出して配置されている。
【００２６】
取り付け部材４５は保持部材３８の間隔保持部４０の内周側に形成された凹部３９に挿入して配置され、その端子５０は間隔保持部４０の通孔５１を貫通して間隔保持部４０の外部に引き出され、保持部材３８の外側で外部のハーネス５２に接続されている。通孔５１と端子５０との間はシール材５３を充填して密封されている。
【００２７】
このパチンコ機では、発射手段９により遊技球を発射すると、その遊技球は遊技盤５のガイドレール１５の案内通路２４を経て遊技領域１４の上部側へと移動した後、遊技領域１４内を遊技釘等に衝突しながら落下し、大入賞手段２０等に入賞するか、又はアウト口２２を経て遊技盤５の裏側へと誘導される。そして、遊技盤５を通過した遊技球は、循環経路の貯留部へと戻された後、再度発射手段９により遊技盤５側へと発射されていく。
【００２８】
このような循環封入式の場合には、センサ３０が遊技盤５の遊技領域１４へと打ち込まれる遊技球を順次検出し、計数手段により遊技球の発射数を計数する。センサ３０はガイドレール１５の案内通路２４の出口部２５の近傍にあり、このセンサ３０で遊技球を検出するので、ファール球等を検出する惧れが少なくなり、その後の処理を容易にできる。
【００２９】
またガラス扉６を前面側から見た場合、センサ３０の本体部４６はガラス扉枠２８の内周縁３５から内側に突出するが、その取り付け部材４５、端子５０、ハーネス５２等は、ガラス扉枠２８の内周縁３５よりも外側でガラス扉枠２８の裏側に位置するため、それらが遊技者の眼に触れるようなことはなく、ガラス扉６の前面側の見栄えが向上する。
【００３０】
なお、この場合には、ガラス板ユニット２９の組み立て工程において、保持部材３８の凹部３９に取り付け部材４５を挿入した後、通孔５１にシール材５３を充填して通孔５１と端子５０との間を密封する。そして、ガラス板ユニット２９の組み立て後に端子５０にハーネス５２を接続する。
【００３１】
またセンサ３０をガラス扉６に設けることにより、センサ３０が前枠３側にあるため、センサ３０が遊技盤５側にある場合に比較して、遊技盤５を交換する面替え等でもコストを削減することが可能である。
【００３２】
図７は本発明の第２の実施形態を例示する。この実施形態では、ガラス板ユニット２９の保持部材３８に通孔５１が形成され、その通孔５１を経てセンサ３０を挿入した後、取り付け部材４５で通孔５１を閉塞し密封するようになっている。
【００３３】
取り付け部材４５はその内側にセンサ３０の取り付け部４７が挿入等により取り付けられている。保持部材３８の通孔５１は、取り付け部材４５にセンサ３０を取り付けたままで、そのセンサ３０を外側から挿入可能であり、センサ３０の挿入後に、接着剤、シール材等のシール材５３により通孔５１が密封される。他の構成は第１の実施形態と略同じである。
【００３４】
このようにガラス板ユニット２９の外側で予め取り付け部材４５にセンサ３０を装着しておき、その後、そのセンサ３０を通孔５１を経て内部のガラス板３６，３７間に挿入するようにしても良い。
【００３５】
図８は本発明の第３の実施形態を例示する。この実施形態では、ガラス板ユニット２９の保持部材３８に、その間隔保持部４０を貫通する通孔５１が形成されている。取り付け部材４５は取り付け基板５４と、この取り付け基板５４に設けられた内コネクタ５５及び外コネクタ５６とを有し、内コネクタ５５及び外コネクタ５６が通孔５１の内外に位置するように取り付け基板５４が通孔５１に挿通されている。通孔５１は接着剤、その他のシール材５３で密封され、また取り付け基板５４は接着剤等により保持部材３８に固定されている。他の構成は第１の実施形態と略同じである。
【００３６】
このようにすれば、内コネクタ５５、外コネクタ５６を備えた取り付け基板５４により取り付け部材４５を構成でき、その内コネクタ５５にセンサ３０の取り付け部４７を、外コネクタ５６にハーネス５２のコネクタ５７を夫々接続すれば良いので、構造的に簡素化できる。
【００３７】
なお、この場合にも、ガラス板ユニット２９の組み立て時に、取り付け基板５４を保持部材３８に固定し、その内コネクタ５５にセンサ３０の取り付け部４７を挿入して固定する。そして、ガラス板ユニット２９の組み立て後に外コネクタ５６にハーネス５２のコネクタ５７を接続すれば良い。
【００３８】
以上、本発明の各実施形態について例示したが、本発明はこの各実施形態に限定されるものではない。例えば、実施形態では、前後二枚のガラス板３６，３７を保持部材３８で保持して密封したガラス板ユニット２９について例示したが、二枚のガラス板３６，３７を保持部材３８に着脱自在に備えたものでも同様に実施可能である。またガラス板３６，３７以外の透明板を備えた装飾扉等でも実施可能である。
【００３９】
またセンサ３０はガラス板３６，３７の裏側であれば十分であり、二枚のガラス板３６，３７間である必要はない。更にセンサ３０は非接触式で遊技球を検出するものであればよく、その検出方式は問題ではない。
【００４０】
センサ３０はその取り付け部４７を保持部材３８側の取り付け部材４５に着脱自在に挿入して装着する他、保持部材３８の成型時に取り付け部材４５を一体に形成し、その取り付け部材４５にセンサ３０を取り付けるようにしても良い。
【００４１】
センサ３０は取り付け部材４５に対して取り付け可能であれば良く、その取り付け構造、取り付け形式は問題ではない。また実施形態では、封入式のパチンコ機について例示しているが、封入式以外のパチンコ機等、各種の弾球遊技機においても同様に採用可能である。
【符号の説明】
【００４２】
５  遊技盤
６  ガラス扉
９  発射手段
１４  遊技領域
１５  ガイドレール
２７  透視窓
２８  ガラス扉枠
２９  ガラス板ユニット
３０  センサ
３５  内周縁
３６，３７  ガラス板
３８  保持部材
４５  取り付け部材
４７  取り付け部
５０  端子
５１  挿通孔
５３  シール材
【図１】
2013017583.tif 000003
【図２】
2013017583.tif 000004
【図３】
2013017583.tif 000005
【図４】
2013017583.tif 000006
【図５】
2013017583.tif 000007
【図６】
2013017583.tif 000008
【図７】
2013017583.tif 000009
【図８】
2013017583.tif 000010